【手続補正書】
【提出日】令和3年9月29日(2021.9.29)
【手続補正１】
【補正対象書類名】特許請求の範囲
【補正対象項目名】全文
【補正方法】変更
【補正の内容】
【特許請求の範囲】
【請求項１】
医療器具（１０）とともに用いるタンパーエビデント閉鎖具アセンブリ（１００）であって、該閉鎖具アセンブリ（１００）は、
コネクタ（１０４）であって、該コネクタ（１０４）は、該コネクタの外面によって画定されるレセプタクル（１０８）を有し、該レセプタクル（１０８）は、凹部（１１６）と、該凹部（１１６）に隣接する壁（１１２）とを有する、コネクタ（１０４）と、
前記コネクタ（１０４）に取り付けられ、前記コネクタ（１０４）の周りに回転するように構成されたキャップ（１３０）であって、前記キャップ（１３０）は開口（１３８）を確定するキャップ（１３０）と、
前記キャップ（１３０）に配置されたロック機構（１５０）であって、該ロック機構（１５０）は、ロック形態及び非ロック形態を有し、該ロック機構（１５０）は、前記ロック形態と前記非ロック形態との間で可動なタブ（１５４）と、該タブ（１５４）上に配置されたプラグ（１５８）とを備える、ロック機構（１５０）と、
を備え、
前記ロック機構（１５０）が前記非ロック形態にある場合、前記プラグ（１５８）は、前記コネクタ（１０４）上の前記レセプタクル（１０８）の外に配置され、前記ロック機構（１５０）が前記ロック形態にある場合、前記プラグ（１５８）は、前記レセプタクル（１０８）内に少なくとも部分的に前記開口（１３８）を通過して配置され、前記キャップ（１３０）が前記コネクタ（１０４）の周りに回転することを防止する、タンパーエビデント閉鎖具アセンブリ（１００）。
【請求項２】
前記コネクタ（１０４）は、該コネクタ（１０４）を医療器具（１０）に解放可能に取り付けるように構成された保持機構（１２０）を更に備える、請求項１に記載のタンパーエビデント閉鎖具アセンブリ（１００）。
【請求項３】
前記医療器具は、シリンジ（１０）である、請求項２に記載のタンパーエビデント閉鎖具アセンブリ（１００）。
【請求項４】
前記ロック機構（１５０）は、前記タブ（１５４）上に配置された作動部（１６２）を更に備え、該作動部（１６２）は、前記タブ（１５４）を前記非ロック形態から前記ロック形態に移す、及び前記ロック形態から前記非ロック形態に移すように構成される、請求項１〜３のいずれか１項に記載のタンパーエビデント閉鎖具アセンブリ（１００）。
【請求項５】
前記作動部（１６２）は、使用者によって押下されるように構成されたボタンである、請求項４に記載のタンパーエビデント閉鎖具アセンブリ（１００）。
【請求項６】
前記ロック機構（１５０）が前記非ロック形態にある場合、前記キャップ（１３０）は、前記コネクタ（１０４）の周りを第１の方向に０度〜３６０度回転するように構成される、請求項１〜５のいずれか１項に記載のタンパーエビデント閉鎖具アセンブリ（１００）。
【請求項７】
前記コネクタ（１０４）上の前記保持機構（１２０）は、第１のねじ山を有し、前記医療器具（１０）は、第２のねじ山を有し、前記第１のねじ山は、前記第２のねじ山に可逆的に係合し、それにより、前記コネクタ（１０４）が前記医療器具（１０）に取り付けられるように構成される、請求項１〜６のいずれか１項に記載のタンパーエビデント閉鎖具アセンブリ（１００）。
【請求項８】
前記コネクタ（１０４）は、複数のレセプタクル（１０８）を有し、前記ロック機構（１５０）は、該ロック機構（１５０）が前記ロック形態にある場合、前記複数のレセプタクル（１０８）のそれぞれの中に入るように構成された複数の対応するプラグ（１５８）を備える、請求項１〜７のいずれか１項に記載のタンパーエビデント閉鎖具アセンブリ（１００）。
【請求項９】
前記開口は、前記ロック機構（１５０）上の前記タブ（１５４）と前記コネクタ（１０４）上の前記レセプタクル（１０８）との間に設けられ、該開口は、前記プラグ（１５８）が、前記レセプタクル（１０８）に向かう第１の方向にのみ該開口を通って移動することができ、前記第１の方向とは反対の第２の方向に該開口を通って移動することは防止することができるようなサイズになっている、請求項１〜８のいずれか１項に記載のタンパーエビデント閉鎖具アセンブリ（１００）。
【請求項１０】
前記プラグ（１５７）は、前記レセプタクル（１０８）の前記壁（１１２）に滑り接触するように構成されたテーパー付きの遠位端部を有し、前記ロック機構（１５０）が前記非ロック形態から前記ロック形態に移る際、前記プラグ（１５８）は、前記壁（１１２）に沿って前記レセプタクル（１０８）内に摺動するようになっている、請求項１〜９のいずれか１項に記載のタンパーエビデント閉鎖具アセンブリ（１００）。
【請求項１１】
前記レセプタクル（１０８）の前記壁（１１２）には傾斜が付けられ、前記ロック機構（１５０）が前記非ロック形態から前記ロック形態に移る際、前記プラグ（１５８）は、前記傾斜した壁（１１２）に滑り接触し、前記壁（１１２）に沿って前記レセプタクル（１０８）内に摺動するようになっている、請求項１〜１０のいずれか１項に記載のタンパーエビデント閉鎖具アセンブリ（１００）。
【請求項１２】
前記ロック機構（１５０）が前記ロック形態にある場合、前記レセプタクル（１０８）内に配置された前記プラグ（１５８）は、前記レセプタクル（１０８）の前記壁（１１２）に接触し、前記キャップ（１３０）が前記コネクタ（１０４）の周りに回転することを防止するようになっている、請求項１〜１１のいずれか１項に記載のタンパーエビデント閉鎖具アセンブリ（１００）。
【請求項１３】
前記非ロック形態と前記ロック形態とを識別するように構成されたインジケーター（１４２）を更に備える、請求項１〜１２のいずれか１項に記載のタンパーエビデント閉鎖具アセンブリ（１００）。
【請求項１４】
前記コネクタ（１０４）は、斜面部（１２４）を更に有し、前記キャップ（１３０）は、前記コネクタ（１０４）上の前記斜面部（１２４）に係合するように構成された対応する斜面部（１３４）を更に有し、前記キャップ（１３０）が第１の方向に回転すると、前記コネクタ（１０４）も前記第１の方向に回転するようになっている、請求項１〜１３のいずれか１項に記載のタンパーエビデント閉鎖具アセンブリ（１００）。
【請求項１５】
薬剤供給システムであって、該システムは、
医療物質を収納するように構成された医療器具（１０）と、
請求項１〜１４のいずれか１項に記載のタンパーエビデント閉鎖具アセンブリ（１００）と、
を備え、
コネクタ（１０４）は、該コネクタ（１０４）を前記医療器具（１０）に解放可能に取り付けるように構成された保持機構（１２０）を有する薬剤供給システム。
【請求項１６】
前記医療器具は、シリンジ（１０）である、請求項１５に記載のシステム。
【請求項１７】
前記シリンジには、前記医療物質が予め充填される、請求項１６に記載のシステム。
【請求項１８】
前記ロック機構（１５０）が前記ロック形態にある場合、前記閉鎖具アセンブリ（１００）を捻ることで、該閉鎖具アセンブリ（１００）を前記医療器具（１０）から分離することができる、請求項１５〜１７のいずれか１項に記載のシステム。
【請求項１９】
タンパーエビデント閉鎖具アセンブリ（１００）を医療器具（１０）から取り外す方法であって、該方法は、
プラグ（１５８）を備えるロック機構（１５０）と、レセプタクル（１０８）が画定されたコネクタ（１０４）とを備える前記閉鎖具アセンブリ（１００）を非ロック形態からロック形態に移すことと、
前記ロック形態において、前記閉鎖具アセンブリ（１００）が前記医療器具（１０）から分離されるまで、前記閉鎖具アセンブリ（１００）を回転させることと、
を含み、
前記コネクタ（１０４）は、軸（Ａ）に沿って延在し、前記閉鎖具アセンブリ（１００）を前記非ロック形態から前記ロック形態に移すことは、前記軸（Ａ）に対して、前記レセプタクル（１０８）の外側に配置された位置から前記レセプタクル（１０８）の少なくとも部分的に内側に配置された位置まで、前記プラグ（１５８）を半径方向内側に移すことである、方法。
【請求項２０】
前記閉鎖具アセンブリ（１００）を前記ロック形態に移すことは、前記プラグ（１５８）を前記レセプタクル（１０８）内に移すことを含む、請求項１９に記載の方法。